(57)【要約】【課題】退避状態にある反射ミラーにおける乱反射や迷光の発生がなく、且つ、簡易なカメラのミラー装置を提供する。【解決手段】一眼レフカメラに組み込まれるミラー装置３０は、ミラー枠３１内部に配されるメインミラー１２とサブミラー１３を有しており、メインミラー１２は、レバー５２を介して軸部５２ａによって観察位置と退避位置と回動可能に支持され、サブミラー１３は、レバー５５を介して軸部５２ａと直交方向の軸部３１ｊによって測距位置と退避位置とに回動可能に支持される。観察位置にあるメインミラー１２は、被写体光束を左方向に向けて反射する。測距位置にあるサブミラー１３は、メインミラー１２を透過した被写体光束をＡＦセンサが位置する下方向に反射する。そして、退避位置に退避したサブミラー１３は、反射面がミラー枠３１の遮光凸部３１ｇの後方に移動し、覆われた状態となる。【選択図】図１３
2006091337.tif 000002
【特許請求の範囲】
【請求項１】
被写体光束を測距素子へ導く測距位置と上記被写体光束の光路から退避した退避位置との間を移動する反射ミラーと、
上記反射ミラーが上記被写体光から退避した上記退避位置において上記反射ミラーの反射面と対向する位置に設けられ、上記反射面からの光が上記被写体光束の光路中に侵入しないように設けられた遮光凸部と、
を有したことを特徴とするカメラのミラー装置。
【請求項２】
暗箱を形成する固定部材と、
上記固定部材に対し相対的に固定され、被写体光束を捕らえる撮像素子と、
上記固定部材中に入射する被写体光を測距素子へ導くための測距位置と上記被写体の光路から退避した退避位置との間を移動する反射ミラーと、
上記反射ミラーが上記被写体光から退避した上記退遊位置において上記反射ミラーの反射面と対向する位置に設けられ、上記反射面からの光が上記被写体の光路中に侵入しないように上記固定部材上に設けられた遮光凸部と、
を有したことを特徴とするカメラのミラー装置。
【発明の詳細な説明】
【技術分野】
【０００１】
本発明は、被写体光束を測距素子へと導く測距位置と、上記被写体光束から退避する退避位置とに移動する反射ミラーを有するカメラのミラー装置に関する。
【背景技術】
【０００２】
従来、一般的な一眼レフカメラにおいては、カメラボディの撮影光学系の光路内位置と該光路から退避した退避位置とに回動可能な観察光学系用のメインミラーが配され、該メインミラーの背面部に測距光学系用のサブミラーが折り畳み可能に支持されている。上記メインミラーの上方には、メインミラーで反射した被写体光が入射し、接眼レンズに向けて射出されるペンタプリズムが配される。下方には、サブミラーで反射した測距用の被写体光が入射し、測距を行うＡＦユニットが配されている。
【０００３】
上述した、所謂、縦折れタイプのミラー装置に関しては、例えば、特許文献１に開示されている。
【特許文献１】特許文献１は、特開平９−２７４２５０号公報である。
【発明の開示】
【発明が解決しようとする課題】
【０００４】
上述した従来の縦折れタイプのミラー装置に対して上方に配置されるペンタプリズムを廃し、ファインダ光学系を横方向に配した横折れタイプの観察光学系のものを考えた場合、単に上述した従来の縦折れタイプの構成を横向きにした構成では、ＡＦユニットを横方向に配置しなければならず、配置スペース上の問題が生じる。
【０００５】
したがって、上記横折れタイプの観察光学系においては、ＡＦユニットを下方に配置し、測距用ミラーによって被写体光束を下方に配置した構成を採用することが考えられる。その場合、測距用反射ミラーを退避させた状態で反射光が撮影に悪影響を与えない簡易な構造を採用する必要がある。
【０００６】
本発明は、上述の問題を解決するためになされたものであり、退避状態にある反射ミラーにおける乱反射や迷光の発生がなく、簡易なカメラのミラー装置を提供することを目的とする。
【課題を解決するための手段】
【０００７】
本発明の請求項１記載のカメラのミラー装置は、被写体光束を測距素子へ導く測距位置と上記被写体光束の光路から退避した退避位置との間を移動する反射ミラーと、上記反射ミラーが上記被写体光から退避した上記退避位置において上記反射ミラーの反射面と対向する位置に設けられ、上記反射面からの光が上記被写体光束の光路中に侵入しないように設けられた遮光凸部とを有する。
【０００８】
本発明の請求項２記載のカメラのミラー装置は、暗箱を形成する固定部材と、上記固定部材に対し相対的に固定され、被写体光束を捕らえる撮像素子と、上記固定部材中に入射する被写体光を測距素子へ導くための測距位置と上記被写体の光路から退避した退避位置との間を移動する反射ミラーと、上記反射ミラーが上記被写体光から退避した上記退遊位置において上記反射ミラーの反射面と対向する位置に設けられ、上記反射面からの光が上記被写体の光路中に侵入しないように上記固定部材上に設けられた遮光凸部とを有する。
【発明の効果】
【０００９】
本発明によれば、退避状態にある反射ミラーにおける乱反射や迷光の発生がなく、簡易なカメラのミラー装置を提供することができる。
【発明を実施するための最良の形態】
【００１０】
以下、図を用いて本発明の実施形態について説明する。  
図１は、本発明の一実施形態に係るミラー装置を内蔵する一眼レフレックスカメラのカメラボディを背面側から見た外観を示す斜視図である。図２は、上記一眼レフレックスカメラにおける撮影光の光路を示す模式的平面図である。図３は、上記一眼レフレックスカメラにおける撮影光の光路を示す模式的正面図である。
【００１１】
なお、以下の説明において、撮影光（被写体光束）の光軸をＯ1 とし、該光軸Ｏ1 と平行な方向をＺ方向とし、その被写体側方向を前方（＋Ｚ方向）、反被写体方向を後方（背面方向）とする。Ｚ方向と直交する方向のうち図１，図５の左右方向をＸ方向とし、その左，右は、背面側から見た方向で示す（右方向を＋Ｘ方向）。また、Ｚ方向と直交する方向のうち図１，５の上下方向をＹ方向とする（上方向を＋Ｙ方向）。さらに、構成部材の回動方向については、図１のカメラボディ、あるいは、図５のミラー枠を上方（Ｂ方向）、または、右側（Ａ方向）から見たときの回動方向で示す。
【００１２】
本実施形態の一眼レフレックスカメラ１は、デジタルカメラであり、図１に示すようにカメラボディ２と交換レンズ鏡筒１０からなる。カメラボディ２においては、その前面部には、交換レンズ鏡筒１０が着脱可能なボディマウント３が配される。カメラボディ２の上面部には、レリーズスイッチ５およびポップアップ可能なストロボ発光部７等が配される。カメラボディ２の背面部にには、ファインダ接眼部４およびＬＣＤ表示部６、また、各操作スイッチ群８等が配される。
【００１３】
カメラボディ２内には撮影光学系，撮像部，測距部，観察光学系，測光部，撮像制御部が設けられている。
【００１４】
上記撮影光学系は、交換レンズ鏡筒１０と共に本カメラの撮影光学系を構成し、図２，３に示すようにミラー枠３１内部に配され、第一の可動ミラー（反射ミラー，反射部）としての反射面と半透過面とを有するハーフミラーからなるメインミラー１２および反射面を有する測距用の第二の可動ミラー（反射ミラー，反射部）としてのサブミラー１３等を有するミラー装置３０と、固定部材であるミラー枠３１の後方固定部に配されるシャッタユニット１９および光学ローパスフィルタ２０とからなる。
【００１５】
上記撮像部は、ミラー枠３１の後方固定部に固定支持され、光学ローパスフィルタ２０の後方に配される撮像素子のＣＣＤ２１からなる。ＣＣＤ２１にて結像面に結像された被写体像が電気信号に変換される。なお、ＣＣＤ２１の撮像範囲の長手方向とカメラボディ２の長手方向（Ｘ方向）は一致している。また、上記観察光学系におけるの撮影視野範囲の長手方向もカメラボディ２の長手方向（Ｘ方向）と同一方向である。
【００１６】
上記測距部は、ミラー枠３１の下部に配される測距素子であるＡＦセンサ２２ａを内蔵するＡＦセンサユニット２２からなり、サブミラー１３により反射された被写体光がＡＦセンサ２２ａに入射し、ＡＦセンサ２２ａより被写体距離検出信号が出力される。
【００１７】
上記撮像制御部は、カメラボディ２内に配されるカメラボディ側制御回路を有してなり、上記測距部や測光部の出力に基づいて交換レンズ鏡筒１０側のレンズ側制御回路との通信を行って上記測距部や測光部の検出出力に基づいた交換レンズ鏡筒１０の制御を行う。さらに、被写体像の観察と被写体像の撮影との切り替え時にミラー駆動アクチュエータ７１（図８）を介してミラー装置３０を駆動し、メインミラー１２，サブミラー１３の位置を駆動制御する。また、ＣＣＤ２１の出力信号である撮像出力信号に基づいて撮像処理を行い、記録媒体に撮影画像データを記録する処理等を行う。
【００１８】
上記観察光学系は、カメラボディ２内の右寄り、すなわち、ミラー枠３１の−Ｘ側とその上方に配され、観察光学系を構成するスクリーン１４，観察用第一反射ミラー１５，観察用第二反射ミラー１６，観察用第三反射ミラー１７および接眼レンズ１８とを有して構成される。
【００１９】
上記撮影光学系が観察状態にあるときは、メインミラー１２は、ミラー装置３０によって駆動され、撮影光軸Ｏ1 の光路上の観察位置ＰAに斜設した状態で位置している。メインミラー１２で反射される被写体光は、光軸Ｏ1 と直交する左方向（−Ｘ方向）の観察光軸Ｏ2 に沿って反射され、上記観察光学系のスクリーン１４側に射出される。スクリーン１４上には、被写体像が結像する。一方、サブミラー１３は、ミラー装置３０によって駆動され、観察位置ＰA にあるメインミラー１２の後方の測距位置ＱA にあってメインミラー１２の半透過部を透過した一部の被写体光をＡＦセンサ２２ａに向けて反射する。ＡＦセンサ２２ａは、上記被写体光を取り込み、被写体距離検出信号を出力する。
【００２０】
一方、上記撮影光学系が非観察状態にあるときは、メインミラー１２は、撮影光軸Ｏ1 の光路から退避した非観察位置（退避位置）ＰB にミラー装置３０により回動駆動される。また、サブミラー１３は、ミラー装置３０によってメインミラー１２の移動に連動した状態でメインミラー１２の後方から下方に退避した退避位置（非測距位置）ＱB に回動駆動される。上述した各ミラーが退避位置にあるとき、被写体光束は、ミラー枠３１を通過し、さらに、シャッタユニット１９の開放時に光学ローパスフィルタ２０を透過してＣＣＤ２１の結像面上に結像する。ＣＣＤ２１にて被写体像が電気信号に変換され、上記撮影制御部に出力される。
【００２１】
上記観察光学系においては、上記撮影光学系が観察状態にあるとき、スクリーン１４に結像した被写体像の光束は、観察用第一反射ミラー１５で上方の観察用第二反射ミラー１６に向けて反射される。そして、観察用第二反射ミラー１６で右（＋Ｘ）方向の観察用第三反射ミラー１７に向けて、さらに、観察用第三反射ミラー１７で後方の接眼レンズ１８に向けて反射される。接眼レンズ１８を介してスクリーン１４上に結像した被写体像が観察される。
【００２２】
次に、ミラー装置３０の構成，作用の詳細について、図４〜７，図８〜１２を用いて説明する。  
図４は、上記ミラー装置の主要構成部材を示す斜視図である。図５は、上記ミラー装置のメインミラー枠まわりを除く構成部材の主要構成部材の分解斜視図である。図６，７は、上記ミラー装置のメインミラー枠とサブミラー枠の斜視図であって、図６は、斜め前方上方から見た図であり、図７は、斜め背面上方から見た図である。図８，９は、図５のＡ方向から見た動作図であって、ミラー枠の右側面部に配されるミラー駆動レバー等の動作位置での状態を示し、図８は、観察状態対応位置にある状態を示し、図９は、ミラー退避状態対応位置にある状態を示す。図１０，１１は、図５のＢ方向から見た動作図であって、ミラー枠の上面部に配される第一，二，三回動レバーの動作位置での状態を示し、図１０は、観察状態対応位置にある状態を示し、図１１は、ミラー退避状態対応位置にある状態を示す。図１２，１３は、ミラー枠内部を図５のＢ方向から見た動作図であって、メインミラー，サブミラーが各動作位置にある状態を示し、図１２は、メインミラーが観察位置、また、サブミラーが測距位置にある状態を示し、図１３は、メインミラー，サブミラーが共に退避位置にある状態を示す。
【００２３】
ミラー装置３０は、図４〜７に示すようにカメラボディ２に内蔵され、暗箱を形成する固定部材であるミラー枠３１と、該ミラー枠３１の右側面部３１ａおよび上面部３１ｂ上に配されるミラー駆動部と、ミラー枠３１の内部３１ｃに配される可動ミラー部とからなる。
【００２４】
ミラー枠３１には、前面部に開口部３１ｄａと、後面部に開口部３１ｄｂと、左側面部に開口部３１ｄｃと、右側面部３１ａに開口部３１ｄｄおよび円弧状逃ゲ穴３１ｆと、下面部に開口部３１ｄｅと、上面部３１ｂに円弧状逃ゲ穴３１ｒとが設けられる。また、開口部３１ｄｂの後側下方位置にＸＹ平面に沿った衝立状の遮光凸部３１ｇが配される。
【００２５】
ミラー枠３１の開口部３１ｄａの前方にはボディマウント３が配される。開口部３１ｄｂの後方のカメラボディ２の本体部には、シャッタユニット１９，光学ローパスフィルタ２０，ＣＣＤ２１が保持されている。開口部３１ｄｃの左方にはスクリーン１４が配される。開口部３１ｄｅの下方部には、ＡＦセンサユニット２２のＡＦセンサ２２ａが配される。さらに、開口部３１ｄｂの後方のミラー枠３１の後方部には、遮光凸部３１ｇと対向する壁部３９が設けられる（図９）。
【００２６】
上記ミラー駆動部は、図５に示すようにミラー枠３１の右側面部３１ａに配される部材として、回動可能なミラー駆動レバー３２と、押圧付勢部材である押さえ板バネ４１と、サブミラーレバーストッパ４２と、トーションバネからなるサブミラーレバー付勢バネ４３と、さらに、ミラー枠３１の上面部３１ｂに配される部材として第一回動レバー３３と、第二回動レバー３４と、第三回動レバー３５と、引っ張りバネからなる回動レバー付勢バネ４４と、トーションバネからなる回動レバー付勢バネ４５とを有してなる。
【００２７】
ミラー駆動レバー３２は、カメラボディ２側のミラー駆動アクチュエータ７１により押圧回動駆動される部材であり、支持軸穴３２ａを有し、該軸穴に嵌入するミラー枠３１側のＸ方向の軸部３１ｉによって回動可能に支持される。軸部３１ｉには、ビス６１が座金６１ａを介して螺着され、該駆動レバー３２の軸方向が規制される。該駆動レバー３２の下方部にミラー駆動アクチュエータ７１の先端部が当接するローラ部３２ｂと、斜め下方部に駆動ピン３２ｃとを有し、上方端部には、第一回動レバー３３との当接部３２ｄが形成されている。
【００２８】
押さえ板バネ４１は、後述するサブミラーレバー５５の突起部５５ｂの先端部に当接し、−Ｘ方向に押圧する押圧部４１ｂを有しており、回り止めピン３１ｎで位置決めし、挿通穴４１ａを挿通させたビス６６をビス穴３１ｍに螺着することによりミラー枠３１に固着される。
【００２９】
サブミラーレバーストッパ４２は、ミラー枠３１のボス部３１ｐに挿入される長穴４２ａとピン嵌合穴４２ｂと切欠部４２ｄと当接部４２ｃとを有し、ビス６２をミラー枠３１のボス部３１ｐに設けられるビス穴に螺着してミラー枠３１の側面に固着される。その固着に際してピン嵌合穴４２ｂにミラー枠３１のピン３１ｑを圧入させ、切欠部４２ｄに工具を挿入させて該ストッパ４２の位置を変え、当接部４２ｃに当接するサブミラーレバーストッパ４２の位置調節を行うことができる。該ストッパ４２の位置調節によりサブミラーレバー１３に固着されているサブミラー１３を正確な測距位置ＱA 、すなわち、サブミラー１３で反射した被写体光束が正しくＡＦセンサ２２ａに入射せしめる位置に位置させるようにサブミラーレバー１３のカメラ観察状態での測距対応位置が調節される。
【００３０】
第一回動レバー３３は、ミラー駆動レバー３２の回動を第二回動レバー３４に伝達するレバーであって、軸穴３３ａを有し、該軸穴３３ａに嵌入するミラー枠３１のＹ方向の軸部３１ｔによって回動可能に支持される。軸部３１ｔには、ビス６３が螺着され、該回動レバー３３の軸方向が規制される。また、該回動レバー３３には、ミラー駆動レバー３２の当接部３２ｄと当接する当接部３３ｃが設けられ、さらに、連動ピン３３ｂとバネ掛ケ３３ｄとが設けられる。バネ掛ケ３３ｄには、一方のフック部がミラー枠３１の突起３１ｗにビス６４により固定される回動レバー付勢バネ４４の他方のフック部が懸架され、第一回動レバー３３は、反時計回りに付勢される。
【００３１】
第二回動レバー３４は、第一回動レバー３３の上側に配され、第一回動レバー３３の回動を第三回動レバー３５に伝達するレバーであって、軸穴３４ａを有し、該軸穴３４ａに嵌入するミラー枠３１のＹ方向の軸部３１ｕに回動可能に嵌入する。軸部３１ｕには、ビス６５が螺着され、該回動レバー３４の軸方向が規制される。第二回動レバー３４には、第一回動レバー３３の連動ピン３３ｂに回動方向にガタなく嵌入する長穴３４ｂと、第三回動レバー３５との当接部３４ｃと、バネ支持軸３４ｄおよびバネ掛ケ部３４ｅとが設けられる。
【００３２】
第三回動レバー３５は、一部が第一回動レバー３３の下側、かつ、他の一部が第二回動レバー３４の下側に配され、第二回動レバー３４により回動駆動されるレバーであって、ミラー枠３１のＹ方向の軸穴３１ｖに駆動可能に嵌入する軸部３５ａと、下方に突出し、ミラー枠３１の円弧状逃ゲ穴３１ｒを挿通してミラー枠３１の内部に突出するＹ方向のミラー駆動ピン３５ｂと、上方に突出する連動ピン３５ｅと、上方への微小凸部３５ｃと、下方の微小凸部３５ｄ，３５ｆとが設けられる。
【００３３】
そして、第二回動レバー３４のバネ支持軸３４ｄに回動レバー付勢バネ４５が装着され、その一端部がバネ掛ケ部３４ｅに、他端部が第三回動レバー３５の連動ピン３５ｅにそれぞれ当接し、この結果、第二回動レバー３４は時計回りに回動する付勢力を、また、第三回動レバー３５も同様に時計回りに回動する付勢力を与えられた状態となる。従って、第二回動レバー３４と第三回動レバー３５とは、当接部３４ｃと連動ピン３５ｅが当接し、回動方向にガタのない状態で連動してそれぞれが軸部３１ｕ，軸部３５ａ中心に回動可能に支持される。さらに、第三回動レバー３５は、その上面側が凸部３５ｃを介して第一回動レバー３３と、また、第二回動レバー３４の下面部と、その下面側が凸部３５ｄ，３５ｆを介してミラー枠３１の２つの円弧状突起部３１ｓとで挟持された状態でＹ方向にガタのない状態で摺動可能に支持される。
【００３４】
上記可動ミラー部は、図６に示すようにミラー枠３１内に配される部材として、ミラー枠レバー５１と、ミラー枠レバー５１に回動可能に支持されるメインミラー枠５２と、遮蔽レバー５３と、リンク５４とを有しており、ミラー枠３１の右側面部３１ａにて支持される部材として、サブミラーレバー５５を有してなる。
【００３５】
ミラー枠レバー５１は、上下のレバー部がＹ方向の連結部５１ｅで連結されたコの字形状の部材であり、上記上下レバー部回動中心部には、Ｙ方向直線上に軸穴部５１ａと軸部５１ｂとが配される。また、上記上下のレバー部の上下回動先端部にＹ方向直線上に軸穴部５１ｃが配され、さらに、上記下レバー部側には、Ｙ方向の軸部５１ｄが配される。ミラー枠レバー５１は、その軸穴部５１ａと軸部５１ｂがミラー枠３１内部の前方左側寄りにＹ方向上下に配される上側軸部３１ｘａと下側軸穴３１ｘｂとにそれぞれ嵌入し、上記軸部中心に回動可能に支持される。
【００３６】
メインミラー枠５２は、枠形状の部材であり、中央部に開口部５２ｆを有するメインミラー装着部５２ｅが設けられる。そして、回動中心上下部に光軸Ｏ1 と直交するＸＹ平面上の第一の平面に含まれ、Ｙ方向に沿った第一の軸である軸部５２ａが配される。また、上下回動先端部にＹ方向直線上の軸部５２ｃが配され、さらに、枠部上側にピン穴５２ｂが設けられる。メインミラー装着部５２ｅにはメインミラー１２がその半透過面を開口部５２ｆに一致した状態で接着固定される（図６，７においては、メインミラー１２は、省略されている）。メインミラー１２が固定されたメインミラー枠５２は、軸部５２ａを軸穴部５１ｃに嵌入させてミラー枠レバー５１の先端部に相対的に回動可能な状態で取り付けられる。
【００３７】
そして、ミラー枠３１の円弧状逃げ穴３１ｒを挿通する第三回動レバー３５のミラー駆動ピン３５ｂがメインミラー枠５２のピン穴５２ｂに回動可能に嵌入する。従って、第三回動レバー３５の回動に伴ってメインミラー枠５２は、ミラー枠レバー５１とともに相対回動移動しながらＸ方向に移動する。メインミラー枠５２の上記回動移動により固定されているメインミラー１２の反射面が光軸Ｏ1 に傾斜して対向する観察位置ＰA （図２，１２）と被写体光路から退避する退避位置ＰB （図２，１３）との間を移動する。
【００３８】
遮蔽レバー５３は、コの字形状の有し、メインミラー枠５２の開口部５２ｆに嵌り込み可能な遮蔽部５３ｃを有する部材であって、回動中心となる上下Ｙ方向に配される軸穴部５３ａと、下側軸穴部５３ａの近傍に配される軸穴部５３ｂとが設けられ、メインミラー枠５２に対する遮蔽部５３ｃの背面部には非反射シート５３ｄが貼付される。この遮蔽レバー５３は、軸穴部５３ａに軸部５２ｃを嵌入させた状態でメインミラー枠５２の先端部に相対的に回動移動可能な状態で取り付けられる。
【００３９】
リンク５４は、両端部に軸穴部５４ａと軸部５４ｂを有する部材であり、軸穴部５４ａは、ミラー枠レバー５１の下方側の軸部５１ｄに、軸部５４ｂは、遮蔽レバー５３の軸穴部５３ｂにそれぞれ回動可能に嵌入して取り付けられる。従って、リンク５４は、メインミラー枠５２に連結され、４節リンクを形成し、ミラー枠レバー５１，メインミラー枠５２の回動移動に伴って、遮蔽レバー５３を相対回動移動させる。その回動移動によりメインミラー枠５２のメインミラー１２が観察位置ＰA にあるときは、遮蔽レバー５３がメインミラー枠５２の開口部５２ｆの後方位置から退避するが（図１２）、メインミラー枠５２のメインミラー１２が退避位置ＰB に移動したときは、遮蔽レバー５３が相対回動し、遮蔽部がメインミラー枠５２の開口部５２ｆに嵌り込み、遮光状態となる（図１３）。
【００４０】
サブミラーレバー５５は、片持ち梁形状の移動部材であり、ミラー枠３１の右側面部３１ａ上のＸ方向に沿った第二の軸である軸部３１ｊに嵌入する軸穴部５５ａと、＋Ｘ方向に突出する突起部５５ｂと、バネ掛ケ部５５ｃと、軸穴部５５ａや突起部５５ｂ等が設けられ、移動部を形成する回動板部５５ｈと、ミラー枠３１の開口部３１ｄｄおよび円弧状逃ゲ穴３１ｆを挿通してミラー枠３１の内部に挿入され、片持ち梁先端部へ向けて延出した腕部を形成するサブミラー支持部５５ｄとを有してなる。サブミラー支持部５５ｄの前面側には、サブミラー装着部５５ｆが配され、該装着部には、サブミラー１３が接着固定される。
【００４１】
このサブミラーレバー５５の軸穴部５５ａが設けられるボス外周部には、サブミラーレバー付勢バネ４３が挿入される。該付勢バネ４３の一端部は、ミラー枠３１の内壁面３１ｙに当接し、他端部は、サブミラーレバー５５のバネ掛ケ部５５ｃに懸架される。従って、サブミラーレバー５５は、付勢バネ４３の付勢力によって時計回りに回動付勢された状態でミラー枠３１の軸部３１ｊに回動可能に支持される。なお、ミラー枠３１の軸部３１ｊは、光軸Ｏ1 に直交するＸＹ平面上の第二の平面（前記第一の平面と異なる平面）に含まれ、ミラー枠３１内部に配されるメインミラー枠５２の軸部５２ａに対しては、非平行で、直角であるＸ方向に沿って形成されている。
【００４２】
サブミラーレバー５５の軸穴部５５ａには、図示しない押さえ部材が右側から当て付けられ、サブミラーレバー５５のＸ方向の位置規制がなされる。
【００４３】
サブミラーレバー５５は、そのレバー側面に、付勢バネ４３の付勢力に抗してミラー駆動レバー３２の駆動ピン３２ｃが当接し、ミラー駆動レバー３２の回動に連動して回動駆動される。その回動によって、装着されているサブミラー１３は、上述した観察位置ＰA にあるメインミラー枠５２の開口部５２ｆの後方の測距位置ＱA （図２，３，１２）から光軸Ｏ１の被写体光束から退避した退避位置（非測距位置）ＱB （図３，１３）まで移動する。但し、サブミラー１３が測距位置ＱA に位置するときのサブミラーレバー５５の回動位置（ミラー退避状態対応位置）は、サブミラーレバーストッパ４２の当接部４２ｃによって位置決めされる。その状態では、駆動ピン３２ｃとサブミラーレバー５５とが僅かな隙間のある状態になる。
【００４４】
サブミラーレバー５５がサブミラー１３の測距位置ＱA に対応する測距状態対応位置に回動しているときは（図８，１２）、突起部５５ｂが板バネ４１の押圧部４１ｂに当接して−Ｘ方向に押圧される。その押圧によりサブミラーレバー５５のミラー枠３１側の面５５ｉがミラー枠３１の当接部である突起部３１ｋに当接する。また、サブミラーレバー５５のミラー枠３１側の面５５ｉ端部がミラー枠３１の当接部である円弧状突部３１ｈに当接する。さらに、軸穴部５５ａまわりのミラー枠３１側の面がミラー枠３１の右側面部３１ａの軸部３１ｊの近傍に設けられる当接部としての凸部３１ｚｚに当接する。板バネ４１が当接する突起部５５ｂは、サブミラーレバー５５の回動板部５５ｈ上であって、上述したサブミラーレバー５５の軸穴部５５ａ近傍のミラー枠３１の凸部３１ｚｚと、突起部３１ｋと、円弧状突部３１ｈに対応する３つの当接点の三角状の領域内部に位置する。従って、サブミラーレバー５５は、板バネ４１によって安定した状態でミラー枠３１側に押圧される。
【００４５】
従って、上記測距状態対応位置に回動しているサブミラーレバー５５のミラー枠３１側は、確実にミラー枠３１の右側面部３１ａに向けて押圧されるので、測距位置ＱA にあるサブミラーレバー５５に装着されているサブミラー１３の反射面は、光軸Ｏ（Ｚ方向）と直交するＸ方向に沿った所定の傾斜角を以て精度よく保持される。すなわち、サブミラー１３に到達した被写体光束を正確にミラー枠３１の開口部３１ｄｅの下部位置に配されるＡＦセンサ２２ａに向けて反射させることができる。
【００４６】
サブミラーレバー５５がミラー退避状態対応位置に回動した場合、サブミラー支持部５５ｄとともにサブミラー１３は、光軸Ｏ1 上の光路から退避した退避位置ＱB に移動するが、その状態でサブミラー支持部５５ｄは、図９に示すようにミラー枠３１の後方に配される壁部３９（図９）とミラー枠３１の遮光凸部３１ｇで形成される凹部に入り込む。そして、サブミラー１３の反射面と遮光凸部３１ｇとが対向した状態となる。なお、サブミラーレバー５５がサブミラー１３の退避位置ＱB に対応する位置に回動したときには、突起部５５ｂと板バネ４１とは、当接しなくてもよい。
【００４７】
上述した構成を有するミラー装置３０のミラー駆動動作について、図８〜１３を用いて説明する。  
デジタルカメラ１が観察状態にあるときは、図８に示すようにミラー駆動アクチュエータ７１の先端部が＋Ｚ方向に押し込まれており、ミラー駆動レバー３２は、反時計回りに回動した観察状態対応位置にある。ミラー駆動レバー３２が図８の位置にあるときは、ミラー駆動レバー３２の当接部３２ｄによって第一回動レバー３３の当接部３３ｃが押圧されて回動レバー付勢バネ４４の付勢力に抗して時計回りに回動し、図１０に示す観察状態対応位置に位置している。第一回動レバー３３により連動ピン３３ｂや連動ピン３５ｅを介して第二回動レバー３４，第三回動レバー３５も同様に観察状態対応位置に回動している。この状態では、第三回動レバー３５のミラー駆動ピン３５ｂは、円弧状逃ゲ穴３１ｒの右方に位置している。
【００４８】
上述したようにミラー駆動ピン３５ｂが右方に移動した状態では、メインミラー枠５２は、ミラー枠レバー５１とともに回動駆動され、図１２に示す観察状態対応位置に移動する。この状態でメインミラー枠５２の先端部がミラー枠３１側のストッパピン３１ｚに当接し、上記観察状態対応位置に正しく位置決めされる。そして、メインミラー枠５２の装着されているメインミラー１２は、光軸Ｏ1 に対して４５°の角度で傾斜した観察位置ＰA に位置する。被写体光束は、観察位置ＰA に位置するメインミラー１２によって−Ｘ方向の光軸Ｏ2 に沿って反射され、図２に示すスクリーン１４側に射出され、そこで結像する。メインミラー枠５２に支持される遮蔽レバー５３は、リンク５４を介して駆動され、図１２に示すように遮光部５３ｃがメインミラー枠５２の開口部５２ｆ後方から退避している。従って、被写体光束の一部は、メインミラー１２を透過し、開口部５２ｆから後述するサブミラー１３表面に入射する。
【００４９】
ミラー駆動レバー３２が上記観察状態対応位置にあるとき、サブミラーレバー５５は、付勢バネ４３の付勢力で時計回りに回動し、図８に示すように駆動ピン３２ｃがサブミラーレバー５５の側面に対して僅かに離間した位置にあって、サブミラーレバー５５は、位置調節されたサブミラーレバーストッパ４２の当接部４２ｃに当接し、測距状態対応位置（カメラの観察状態対応）に保持される。その状態でサブミラーレバー５５に装着されているサブミラー１３は測距位置ＱA に位置する。サブミラー１３が測距位置ＱA にあるとき、観察位置ＰA にあるメインミラー１２の半透過面を透過した被写体光束は、サブミラー１３の反射面に入射可能となる。さらに、該反射面は、光軸Ｏ1 に対して所定の角で傾斜し、かつ、Ｘ方向に沿った面に保持される（図１２）。従って、サブミラー１３に入射した被写体光束は、下方に配されるＡＦセンサ２２ａに向けて正しく反射され、該センサによる被写体距離信号の検出が可能となる。
【００５０】
なお、サブミラーレバー５５が上記測距状態対応位置にあるときは、前述したように板バネ４１によって該レバー５５の突起部５５ｂが−Ｘ方向に押圧されることからサブミラーレバー５５の回動板部５５ｈがミラー枠３１に対してＹＺ平面上で正しい姿勢に保持される。従って、サブミラー１３も測距位置ＱA に正確に保持される。
【００５１】
続いて、デジタルカメラ１が観察状態から撮影状態に切り替わった場合、図９に示すようにミラー駆動アクチュエータ７１の先端部が−Ｚ方向に後退する。その後退によって、ミラー駆動レバー３２は、回動レバー付勢バネ４４によって付勢されている第一回動レバー３３により当接部３３ｃを介してミラー退避状態対応位置に向けて時計回りに回動駆動される。第一回動レバー３３は、反時計回りに回動し、図１１に示すミラー退避状態対応位置に移動する。第一回動レバー３３の回動により連動ピン３３ｂや連動ピン３５ｅを介して第二回動レバー３４，第三回動レバー３５も同様にミラー退避状態対応位置に回動する。この回動により第三回動レバー３５のミラー駆動ピン３５ｂは、円弧状逃ゲ穴３１ｒの左方に移動する（図１１）。
【００５２】
上述したミラー駆動ピン３５ｂの左方への移動によりメインミラー枠５２は、ミラー枠レバー５１とともに回動駆動され、図１３に示すように光軸Ｏ1 の被写体光束の光路から左方に退避したミラー退避状態対応位置に移動し、メインミラー１２は、退避位置ＰB に位置する。同時に遮蔽レバー５３もリンク５４を介して駆動され、遮光部５３ｃがメインミラー枠５２の開口部５２ｆに嵌り込んだ状態となり、該開口部５２ｆが遮光される。従って、ミラー枠３１の左側面部の開口部３１ｄｃは遮光されたメインミラー枠５２によって覆われた状態となる。
【００５３】
一方、図９に示すようにミラー駆動レバー３２が上記ミラー退避状態対応位置に向けて時計回りに回動することによって駆動ピン３２ｃによりサブミラーレバー５５が押圧されて付勢バネ４３の付勢力に抗して反時計回りに回動駆動される。サブミラーレバー５５がミラー退避状態対応位置に移動した状態では、サブミラーレバー５５のサブミラー支持部５５ｄに固着されるサブミラー１３は、光軸Ｏ1 上の光路から退避した退避位置ＱB に位置する。その状態でサブミラー１３の反射面は、ミラー枠３１の遮光凸部３１ｇの後方に対向し、覆われた状態となる。従って、サブミラー１３の反射面での乱反射光や反射迷光は、撮影中の被写体光路内に侵入しない。
【００５４】
上述のメインミラー枠５２，サブミラーレバー５５がミラー退避状態対応位置へ移動し、サブミラー１３が光軸Ｏ1 上の光路から下方に退避した退避位置ＱB に移動したとき、メインミラー１２も上述したように光軸Ｏ1 上の光路から左方に退避した退避位置ＰB に移動しており、被写体光束は、ミラー枠３１内を光軸Ｏ1 に沿って通過し、シャッタユニット１９，光学ローパスフィルタ２０を経てＣＣＤ２１に入射し、ＣＣＤ結像面上での結像が可能な状態となる。
【００５５】
なお、デジタルカメラ１が上述した撮影状態から観察状態に戻される場合は、上述した動作と逆の動作が行われ、観察状態に戻される。
【００５６】
上述した本実施形態のデジタルカメラ１に適用されるミラー装置３０は、従来の一般的な一眼レフレックスカメラのように観測光学系としてペンタプリズムを適用することなく、別の駆動系により連動駆動されるメインミラー１２とサブミラー１３とを採用する。従って、カメラボディの上方に上記ペンタプリズムを配設する必要がなく、高さ方向の寸法を抑えることが可能である。そして、横方向に観察光学系を配置し、下方に測距光学系を配置する構成、すなわち、ミラー装置３０の駆動機構によりメインミラー１２を横方向に、サブミラーを下方向に退避させる構成が実現できる。
【００５７】
また、ミラー装置３０では、メインミラー１２とサブミラー１３とが互いに異なる方向の軸によって支持され、メインミラー１２の移動軌跡とサブミラー１３の移動軌跡が上述したように異なる方向、すなわち、メインミラー１２は左方向へ、サブミラー１３は、下方向へ退避させることから互いの移動軌跡の重なりがなく、高速駆動時における衝突などの干渉の可能性がなく、高速化が可能である。
【００５８】
また、サブミラー１３の測距位置ＱA の位置調節がサブミラーレバーストッパ４２の位置調節により簡単に行うことができ、高精度の測距が可能となる。
【００５９】
さらに、本実施形態の場合、サブミラー１３がミラー枠３１下方の退避位置ＱB に退避した状態では、サブミラー１３の反射面の前面に対向し、該反射面を覆うように遮光凸部３１ｇが位置することから上記反射面で乱反射光や反射迷光が撮影光（被写体光束）の光路に侵入することがない。
【産業上の利用可能性】
【００６０】
本発明によるカメラのミラー装置は、退避状態にある反射ミラーにおける乱反射や迷光の発生がなく、簡易なカメラのミラー装置として利用可能である。
【００６１】
を提供することができる。
【図面の簡単な説明】
【００６２】
【図１】本発明の一実施形態に係るミラー装置を内蔵する一眼レフレックスカメラのカメラボディを背面側から見た外観を示す斜視図である。
【図２】図１の一眼レフレックスカメラにおける撮影光の光路を示す模式的平面図である。
【図３】図１の一眼レフレックスカメラにおける撮影光の光路を示す模式的正面図である。
【図４】図１の一眼レフレックスカメラのミラー装置の主要構成部材を示す斜視図である。
【図５】図４のミラー装置のメインミラー枠まわりを除く構成部材の主要構成部材の分解斜視図である。
【図６】図４のミラー装置のメインミラー枠とサブミラー枠とを前方上方から見た斜視図である。
【図７】図４のミラー装置のメインミラー枠とサブミラー枠とを背面上方から見た斜視図である。
【図８】図４のミラー装置を図５のＡ方向から見た動作図であって、ミラー枠の右側面部に配されるミラー駆動レバー等の観察状態対応位置にある状態を示す。
【図９】図４のミラー装置を図５のＡ方向から見た動作図であって、ミラー枠の右側面部に配されるミラー駆動レバー等のミラー退避状態対応位置にある状態を示す。
【図１０】図４のミラー装置を図５のＢ方向から見た動作図であって、ミラー枠の上面部に配される第一，二，三回動レバーの観察状態対応位置にある状態を示す。
【図１１】図４のミラー装置を図５のＢ方向から見た動作図であって、ミラー枠の上面部に配される第一，二，三回動レバーのミラー退避状態対応位置にある状態を示す。
【図１２】図４のミラー装置のミラー枠内部を図５のＢ方向から見たの動作図であって、メインミラーが観察位置、また、サブミラーが測距位置にある状態を示す。
【図１３】図４のミラー装置のミラー枠内部を図５のＢ方向から見たの動作図であって、メインミラー，サブミラーが共に退避位置にある状態を示す。
【符号の説明】
【００６３】
１３  …サブミラー（反射ミラー）
２１  …ＣＣＤ（撮像素子）
３１  …ミラー枠（固定部材）
３１ｇ…遮光凸部
ＱA …サブミラーの測距位置
ＱB …サブミラーの退避位置
代理人      弁理士    伊  藤    進
【図１】
2006091337.tif 000003
【図２】
2006091337.tif 000004
【図３】
2006091337.tif 000005
【図４】
2006091337.tif 000006
【図５】
2006091337.tif 000007
【図６】
2006091337.tif 000008
【図７】
2006091337.tif 000009
【図８】
2006091337.tif 000010
【図９】
2006091337.tif 000011
【図１０】
2006091337.tif 000012
【図１１】
2006091337.tif 000013
【図１２】
2006091337.tif 000014
【図１３】
2006091337.tif 000015